(57)【特許請求の範囲】
【請求項１】
床上に配設された内壁枠及び添柱により形成される入隅部における気密構造であって、
添柱と密着する面、及び床と密着する面を有し、添柱と床との接続部分を密封する第１の気密部材が、該入隅部に密設され、
帯状の第２の気密部材が、添柱と内壁枠との接続部分、及び内壁枠と床との接続部分を密封し、かつ、上記第１の気密部材と各々密接するように配設されてなるものであることを特徴とする入隅部における気密構造。
【請求項２】
上記第１の気密部材は、床と密着する面の一部に、添柱と嵌合する形状の切欠きが設けられ、該切欠きに沿って、添柱と密着すべき面が立設されたものであることを特徴とする請求項１に記載の入隅部における気密構造。
【請求項３】
床上に配設された内壁枠により形成される出隅部における気密構造であって、
Ｌ型の第３の気密部材が、上記出隅部の、内壁枠と内壁枠とが交叉して接続する部分に密設され、
上記第３の気密部材と密着する面、及び床と密着する面を有し、添柱と床との接続部分を密封する第４の気密部材が、該出隅部に密設され、
帯状の第５の気密部材が、上記第３の気密部材と内壁枠との接続部分、及び内壁枠と床との接続部分を密封し、かつ、上記第４の気密部材と各々密接するように配設されてなるものであることを特徴とする内壁枠の出隅部における気密構造。
【請求項４】
上記第４の気密部材は、床と密着する面に、上記出隅部と嵌合する形状の角部が形成され、該角部に沿って、上記第３の気密部材と密着すべき面が立設されたものであることを特徴とする請求項３に記載の出隅部における気密構造。
【発明の詳細な説明】
【０００１】
【発明の属する技術分野】
本発明は、住宅等の建築物の気密構造、特に内壁枠により形成される入隅部又は出隅部における気密構造に関するものである。
【０００２】
【従来の技術】
近年、住宅には、計画的な換気による住宅の快適性の向上や、断熱性の向上による省エネルギー化を図るために、住宅の気密性が求められるようになってきている。一般に、気密住宅とは、気密性能を表す相当隙間面積が床面積１平方メートル当たり５平方センチメートル以下のものをいい、これを達成するために、住宅の内部空間全体を気密面で囲うように気密工法が施工される。
【０００３】
図２６は、内壁枠の入隅部の構造を示した概略斜視図であり、図に示すように、該入隅部は、軸組４に沿って、床１上に断熱内壁枠２が配設され、断熱内壁枠２同士が直交して接続する箇所に、添柱３が配設されてなるものである。断熱内壁枠２の屋内側の表面には、住宅内部の気密を確保するための気密シート２０が貼り付けられている。上記入隅部において、住宅内部の気密を完全なものとするためには、床１と断熱内壁枠２との接続部分や、断熱内壁枠２と添柱３との接続部分を密封することが必要である。
なお、ここでは、入隅部又は出隅部の表現は、建物全体の平面図をみた場合の出入隅により決めることとしている。
【０００４】
図２７は、図２６に示す箇所Ａにおける気密構造の詳細を示す概略斜視図であるが、図に示すように、乾式気密工法では、断熱内壁枠２、添柱３、床１の接続部分に帯状の気密テープ６を貼り付けて密封することにより気密を確保する。即ち、図２６に示す箇所Ａにおいては、気密テープ６を複雑に折り曲げて貼り付けるか、図２７に示すように、気密テープ６の端部に切込みを入れて貼り付ける。
【０００５】
【発明が解決しようとする課題】
しかし上記工法では、内壁枠により形成される入隅部又は出隅部の形状が複雑なものであるため、施工が煩雑なうえ、気密を確保することが困難である。例えば、気密テープ６を複雑な形状に折り曲げて貼り付けた場合には、気密テープ６の貼付け箇所に隙間が生じ易く、また、図２７に示すように、気密テープ６の端部に切込みを入れて貼り付けた場合には、ピンホールが生じやすい。その結果、住宅内の気密が十分に確保できないこととなる。
本発明は、上記の点に鑑みてなされたものであり、住宅等の内壁枠により形成される入隅部又は出隅部における気密を確保し、かつ、施工が容易な、気密構造を提供することを目的とする。
【０００６】
【課題を解決するための手段】
上記目的を達成するためになされた本発明の請求項１に係る気密構造は、床上に配設された内壁枠及び添柱により形成される入隅部における気密構造であって、添柱と密着する面、及び床と密着する面を有し、添柱と床との接続部分を密封する第１の気密部材が、該入隅部に密設され、帯状の第２の気密部材が、添柱と内壁枠との接続部分、及び内壁枠と床との接続部分を密封し、かつ、上記第１の気密部材と各々密接するように配設されてなるものである。
【０００７】
また、本発明の請求項２に係る気密構造は、請求項１に記載の気密構造において、上記第１の気密部材は、床と密着する面の一部に、添柱と嵌合する形状の切欠きが設けられ、該切欠きに沿って、添柱と密着すべき面が立設されたものである。
【０００８】
また、本発明の請求項３に係る気密構造は、床上に配設された内壁枠により形成される出隅部における気密構造であって、Ｌ型の第３の気密部材が、上記出隅部の、内壁枠と内壁枠とが交叉して接続する部分に密設され、上記第３の気密部材と密着する面、及び床と密着する面を有し、添柱と床との接続部分を密封する第４の気密部材が、該出隅部に密設され、帯状の第５の気密部材が、上記第３の気密部材と内壁枠との接続部分、及び内壁枠と床との接続部分を密封し、かつ、上記第４の気密部材と各々密接するように配設されてなるものである。
【０００９】
また、本発明の請求項４に係る気密構造は、請求項３に記載の気密構造において、上記第４の気密部材は、床と密着する面に、上記出隅部と嵌合する形状の角部が形成され、該角部に沿って、上記第３の気密部材と密着すべき面が立設されたものである。
【００１０】
【発明の実施の形態】
以下、本発明の実施の形態を図面に基づき具体的に説明する。
図１は、本発明の第１の実施の形態に係る入隅部における気密構造を説明するための概略斜視図である。本気密構造は、図２６に示す箇所Ａにおけるものであり、床１上に、互いに直交する方向に立設された断熱内壁枠２ａ、２ｂと、添柱３とにより形成される入隅部に、気密シートコーナー（第１の気密部材）７ａと帯状の気密テープ（第２の気密部材）６とを配設したものである。
【００１１】
図１に示すように、本気密構造は、床１上に設けられた断熱内壁枠２ａ、２ｂと添柱３とにより形成される入隅部に、気密シートコーナー７ａを、床１と添柱３との接続部分を密封するように設け、気密テープ６を、床１と断熱内壁枠２ａ、２ｂとの接続部分、及び断熱内壁枠２ａ、２ｂと添柱３との接続部分を密封し、かつ、気密シートコーナー７ａと密接するように配設したものである。
【００１２】
図２は、上記入隅部の詳細な構造を説明するための断面図であるが、図に示すように、上記入隅部は、軸組４に沿って、外壁５の屋内側に断熱内壁枠２ａ、２ｂが互いに直交する方向に配設され、該断熱内壁枠２ａ、２ｂは、添柱３を介して接続されている。なお、図３に示すような、一方の壁側にふかし材８ａを配設した入隅部においても、本実施の形態１に係る気密構造を利用することができる。
【００１３】
断熱内壁枠２ａ、２ｂは、縦桟と横桟とを組み合わせた矩形の枠体２１に、適宜、補強部材を架設し、該枠体２１の内部にグラスウール等の断熱材２２を充填したものである。さらに、断熱内壁枠２ａ、２ｂの屋内側の表面は、気密を確保するためのポリプロピレン製の気密シート２０で覆われている。なお、断熱材２２にはグラスウールのほか、適当な発泡樹脂等を用いてもよい。
【００１４】
添柱３は、図４に示すように、角型柱体３０の隣接する二側面に、該各面を覆うような板状体３１Ｒ、３１Ｌが各々固着されたものであり、壁ふかし等を考慮して、適宜、該板状３１Ｒを裁断して用いるものである。例えば、図３に示すような壁ふかしを施した場合には、添柱３の板状体３１は、角型柱体３０と面一となるように裁断し、板状体３１Ｌは、ふかし材８ａの幅分だけ角型柱体３０の面より突出するように裁断する。
【００１５】
以下、本気密構造の詳細について、図５から図１１に基づいて説明する。
上記入隅部は、断熱内壁枠２ａ、２ｂが添柱３を介して、直交して接続されているものであり、図５に示すように、本気密構造においては、まず、気密シートコーナー７ａを、該入隅部に配設する。
【００１６】
図６乃至図９は、上記気密シートコーナー７ａの構成を示すものであり、図６は平面図、図７は底面図、図８は図６に示す方向Ｘからみた側面図、図９は図６に示す方向Ｙからみた側面図である。
図６に示すように、気密シートコーナー７ａは、床１と密着する正方形の底面７０の一角を添柱３の形状に沿って切り欠き、該切欠き７１の周縁に添柱３と密着する立上がり面７２が設けられた形状となっている。気密シートコーナー７ａの底面７０と立上がり面７２とが交叉する箇所の形状は、床１と添柱３との接続部分の形状と同じものとする。通常、添柱３は、床１に対して垂直に立設されるので、該底面７０と立上がり面７２とは直交するものとする。なお、該底面７０の形状は、正方形に限られるものではなく、その他の形状、例えば長方形や円形としてもよい。
【００１７】
さらに、気密シートコーナー７ａの底面７０の裏側には、図７に示すように、その周縁に沿って両面テープ７３が貼り付けられている。また、図８及び図９に示すように、気密シートコーナー７ａの立上がり面７２にも同様に、両面テープ７３が貼り付けられている。
なお、気密シートコーナー７ａの材質は、住宅の気密を確保できるものであれば特に限定されるものではなく、ポリプロピレンやポリエチレン等の樹脂、鉄鋼等の金属、アルミニウムやステンレス等を利用することができる。
【００１８】
気密シートコーナー７ａを配設する場合には、まず、立上がり面７２上側の両面テープ７３により、気密シートコーナー７ａを配設すべき位置に仮固定し、その後、その他の両面テープ７３により、床１及び添柱３との間に隙間が生じないように密着させる。これにより、入隅部における床１と添柱３との接続部分の気密を確保する。
【００１９】
つぎに、図１０に示すように、床１と断熱内壁枠２ａ、２ｂとの接続部分に、気密テープ６をＬ型に折り曲げて貼り付け、密封する。このとき、気密テープ６の端部が気密シートコーナー７ａと密接するように貼り付ける。これにより、床１と断熱内壁枠２ａ、２ｂ又は添柱３との接続部分の気密を確保する。
なお、気密テープ６の材質は、住宅の気密を確保できるものであれば特に限定されるものではなく、ポリエチレン等の樹脂製のものであっても、該樹脂にアルミ蒸着を施したものであってもよい。
【００２０】
最後に、図１１に示すように、断熱内壁枠２ａ、２ｂと添柱３との接続部分に、気密テープ６を貼り付けて密封する。このとき、気密テープ６の端部が、先に床１と断熱内壁枠２ａ、２ｂとの接続部分に貼り付けた気密テープ６と密接するように貼り付ける。これにより、断熱内壁枠２ａ、２ｂと添柱３との接続部分の気密を確保する。
【００２１】
このように、本実施の形態１に係る入隅部における気密構造によれば、床１上に設けられた断熱内壁枠２ａ、２ｂと添柱３とにより形成される入隅部に、気密シートコーナー７ａを、床１と添柱３との接続部分を密封するように設け、気密テープ６を、床１と断熱内壁枠２ａ、２ｂとの接続部分、及び断熱内壁枠２ａ、２ｂと添柱３との接続部分を密封し、かつ、気密シートコーナー７ａと密接するように配設したので、上記入隅部における住宅の気密を確保でき、また、その施工を容易なものとできる。
【００２２】
つぎに、本発明の第２の実施の形態について説明する。
図１２は、第２の実施の形態に係る出隅部を説明するための概略斜視図であるが、図に示すように、該出隅部は、軸組４に沿って、床１上に断熱内壁枠２ｃ、２ｄが直交して配設されてなるものである。
【００２３】
図１３は、上記出隅部の詳細な構造を説明するための断面図であるが、図に示すように、上記出隅部は、軸組４により形成される隅部にふかし材８ｂが配設され、該ふかし材８ｂに沿って、外壁５の屋内側に断熱内壁枠２ｃ、２ｄが直交して配設されたものである。なお、図１４に示すように、壁ふかしを施さない標準の出隅部においても、本実施の形態２に係る気密構造を利用することができる。
【００２４】
断熱内壁枠２ｃ、２ｄは、上述と同様に、縦桟と横桟とを組み合わせた矩形の枠体２１に、適宜、補強部材を架設し、該枠体２１の内部にグラスウール等の断熱材２２を充填し、その屋内側の表面に、気密を確保するためのポリプロピレン製の気密シート２０を覆設したものである。なお、断熱材２２にはグラスウールのほか、適当な発泡樹脂等を用いてもよい。
【００２５】
図１５は、本発明の第２の実施の形態に係る出隅部における気密構造を説明するための概略斜視図である。本気密構造は、図１２に示す箇所Ｂにおけるものであり、床１上に設けられた断熱内壁枠２ｃ、２ｄとにより形成される出隅部に、Ｌ型の気密カバー（第３の気密部材）９を、断熱内壁枠２ｃと断熱内壁枠２ｄとの接続部分に密着するように配設し、気密シートコーナー（第４の気密部材）７ｂを、床１と気密カバー９との接続部分を密封するように設け、帯状の気密テープ（第５の気密部材）６を、床１と断熱内壁枠２ｃ又は断熱内壁枠２ｄとの接続部分、及び気密カバー９と断熱内壁枠２ｃ又は断熱内壁枠２ｄとの接続部分を密封し、かつ、気密シートコーナー７ｂと密接するように配設したものである。
【００２６】
以下、本気密構造の詳細について、図１６から図２５に基づいて説明する。
上記出隅部は、断熱内壁枠２ｃ、２ｄが直交して接続されているものであり、図１６に示すように、本気密構造においては、まず、気密カバー９を、当該出隅部に配設する。
【００２７】
図１７は、上記気密カバー９の形状を説明するための概略斜視図であり、図に示すように、気密カバー９は、Ｌ型に折り曲げられた板状体であり、その長手方向の寸法は、断熱内壁枠２ｃ、２ｄの高さ寸法と該同寸となっている。また、気密カバー９の厚さは、用いる材質に応じて、Ｌ型の形状を維持できる程度の強度であり、かつ、住宅の気密を確保できるように設定する必要があるが、断熱内壁枠２ｃ、２ｄの表面に配設すべき石膏ボード等の仕上がりを考慮して、なるべく薄いものとすることが望ましい。用いるべき材質は、これらを満たす限り特に限定されるものではなく、ポリプロピレンやポリエチレン等の樹脂、鉄鋼等の金属、アルミニウムやステンレス等が利用できる。
【００２８】
つぎに、図１８に示すように、気密シートコーナー７ｂを、床１と気密カバー９との接続部分を密封するように、当該出隅部に配設する。
図１９乃至図２２は、上記気密シートコーナー７ｂの構成を示すものであり、図１９は平面図、図２０は底面図、図２１は図１９に示す方向Ｘからみた側面図、図２２は図１９に示す方向Ｙからみた側面図である。
図１９に示すように、気密シートコーナー７ｂは、床１と密着する正方形の底面７４の一の角部７５を形成する二辺に、気密カバー９と密着する立上がり面７６が設けられた形状となっている。該角部７５は、気密カバー９の形状、即ちＬ型と嵌合するものである。通常、出隅部は直角に形成されるので、気密カバー９のＬ型も直角のものであり、これに嵌合する上記角部７５も直角のものである。なお、該底面７４は、該角部７５以外の箇所の形状は特に限定されるものではなく、底面７４は、必ずしも正方形である必要はない。
【００２９】
また、気密シートコーナー７ｂの底面７４と立上がり面７６とが交叉する箇所の形状は、床１と気密カバー９との接続部分の形状と同じものとする。通常、気密カバー９は、床１に対して垂直に立設されるので、該底面７４と立上がり面７６とは直交するものとする。
さらに、気密シートコーナー７ｂの底面７４の裏側には、図２０に示すように、上記立上がり面と隣接しない周縁部分に沿って両面テープ７３が貼り付けられている。また、図２１及び図２２に示すように、気密シートコーナー７ｂの立上がり面７５にも、底面７４又は立上がり面７５と隣接しない周縁部分に、両面テープ７３が貼り付けられている。
なお、気密シートコーナー７ｂの材質は、住宅の気密を確保できるものであれば特に限定されるものではなく、ポリプロピレンやポリエチレン等の樹脂、鉄鋼等の金属、アルミニウムやステンレス等を利用することができる。
【００３０】
気密シートコーナー７ｂを配設する場合には、まず、立上がり面７５上側の両面テープ７３により、気密シートコーナー７ｂを配設すべき位置に仮固定し、その後、その他の両面テープ７３により、床１及び気密カバー９との間に隙間が生じないように密着させる。これにより、出隅部における床１と気密カバー９との接続部分の気密を確保する。
【００３１】
つぎに、図２３に示すように、床１と断熱内壁枠２ｃ又は断熱内壁枠２ｄとの接続部分に、気密テープ６をＬ型に折り曲げて貼り付け、密封する。このとき、気密テープ６の端部が気密シートコーナー７ｂと密接するように貼り付ける。これにより、床１と断熱内壁枠２ｃ、２ｄとの接続部分の気密を確保する。
【００３２】
最後に、図２４に示すように、断熱内壁枠２ｃ又は２ｄと気密カバー９との接続部分に、気密テープ６を貼り付けて密封する。このとき、気密テープ６の端部が、先に床１と断熱内壁枠２ｃ又は断熱内壁枠２ｄとの接続部分に貼り付けた気密テープ６と密接するように貼り付ける。これにより、断熱内壁枠２ｃ又は断熱内壁枠２ｄと気密カバー９との接続部分の気密を確保する。
【００３３】
このように、本実施の形態２に係る出隅部における気密構造によれば、床１上に設けられた断熱内壁枠２ｃ、２ｄとにより形成される出隅部に、Ｌ型の気密カバー９を、断熱内壁枠２ｃと断熱内壁枠２ｄとの接続部分に密着するように配設し、気密シートコーナー７ｂを、床１と気密カバー９との接続部分を密封するように設け、気密テープ６を、床１と断熱内壁枠２ｃ又は断熱内壁枠２ｄとの接続部分、及び気密カバー９と断熱内壁枠２ｃ又は断熱内壁枠２ｄとの接続部分を密封し、かつ、気密シートコーナー７ｂと密接するように配設したので、上記出隅部における住宅の気密を確保でき、また、その施工を容易なものとできる。
【００３４】
なお、図１２に示す断熱内壁枠の継目部分Ｃの気密は、図２５に示すように、床１と断熱内壁枠２ｄ又は断熱内壁枠２ｅとの接続部分に、気密テープ６をＬ型に折り曲げて貼り付け、さらに、断熱内壁枠２ｄと断熱内壁枠２ｅとの接続部分に気密テープ６を貼り付けて密封する。このとき、該気密テープ６の端部が、先に床１と断熱内壁枠２ｄ又は断熱内壁枠２ｅとの接続部分に貼り付けた気密テープ６と密接するようにする。
【００３５】
なお、上記各実施の形態において、気密シートコーナー７ａと添柱３、又は気密シートコーナー７ｂと気密カバー９とは、両面テープ７３により密着するものとしたが、気密性を有するその他の樹脂等のテープを用いて、或いは接着剤等を用いて密着することとしても、上記各実施の形態と同様の効果を得ることができる。
【００３６】
【発明の効果】
以上説明したように、本発明の請求項１に係る気密構造によれば、添柱と密着する面、及び床と密着する面を有し、添柱と床との接続部分を密封する第１の気密部材を、入隅部に密設し、帯状の第２の気密部材を、添柱と内壁枠との接続部分、及び内壁枠と床との接続部分を密封し、かつ、上記第１の気密部材と各々密接するように配設したので、上記入隅部における住宅の気密を確保できる。また、その施工において、気密テープを複雑な形状に折り曲げたり、切込みを入れる必要がないので、該施工を容易なものとできる。
【００３７】
また、本発明の請求項２に係る気密構造のよれば、上記第１の気密部材は、床と密着する面の一部に、添柱と嵌合する形状の切欠きが設けられ、該切欠きに沿って、添柱と密着すべき面が立設されたものとしたので、入隅部の気密を確保するための第１の気密部材を簡単な構造のものとすることができる。
【００３８】
また、本発明の請求項３に係る気密構造によれば、Ｌ型の第３の気密部材を、上記出隅部の、内壁枠と内壁枠とが交叉して接続する部分に密設し、上記第３の気密部材と密着する面、及び床と密着する面を有し、添柱と床との接続部分を密封する第４の気密部材を、該出隅部に密設し、帯状の第５の気密部材を、上記第３の気密部材と内壁枠との接続部分、及び内壁枠と床との接続部分を密封し、かつ、上記第４の気密部材と各々密接するように配設したので、上記出隅部における住宅の気密を確保できる。また、その施工において、気密テープを複雑な形状に折り曲げたり、切込みを入れる必要がないので、該施工を容易なものとできる。
【００３９】
また、本発明の請求項４に係る気密構造によれば、上記第４の気密部材は、床と密着する面に、上記出隅部と嵌合する形状の角部が形成され、該角部に沿って、上記第３の気密部材と密着すべき面が立設されたものとしたので、出隅部の気密を確保するための第４の気密部材を簡単な構造のものとすることができる。
【図面の簡単な説明】
【図１】本発明の第１の実施の形態に係る入隅部における気密構造の構成を示す概略斜視図である。
【図２】入隅部の詳細な構成を示す断面図である。
【図３】壁ふかしを施した入隅部の詳細な構成を示す断面図である。
【図４】添柱３の形状を示す概略斜視図である。
【図５】入隅部に気密シートコーナー７ａを配設すべき位置を示す概略斜視図である。
【図６】気密シートコーナー７ａの形状を示す平面図である。
【図７】気密シートコーナー７ａの形状を示す裏面図である。
【図８】図６に示す方向Ｘからみた気密シートコーナー７ａの側面図である。
【図９】図６に示す方向Ｙからみた気密シートコーナー７ａの側面図である。
【図１０】入隅部に気密テープ６を貼り付けるべき位置を示す概略斜視図である。
【図１１】入隅部に気密テープ６を貼り付けるべき位置を示す概略斜視図である。
【図１２】出隅部の構成を示す概略斜視図である。
【図１３】出隅部の詳細な構成を示す断面図である。
【図１４】壁ふかしを施さない出隅部の詳細な構成を示す概略斜視図である。
【図１５】本発明の第２の実施の形態に係る出隅部における気密構造の構成を示す概略斜視図である。
【図１６】出隅部に気密カバー９を配設した状態を示す概略斜視図である。
【図１７】気密カバー９の形状を示す概略斜視図である。
【図１８】出隅部に気密シートコーナー７ｂを配設すべき位置を示す概略斜視図である。
【図１９】気密シートコーナー７ｂの形状を示す平面図である。
【図２０】気密シートコーナー７ｂの形状を示す裏面図である。
【図２１】図１９に示す方向Ｘからみた気密シートコーナー７ｂの側面図である。
【図２２】図１９に示す方向Ｙからみた気密シートコーナー７ｂの側面図である。
【図２３】出隅部に気密テープ６を貼り付けるべき位置を示す概略斜視図である。
【図２４】出隅部に気密テープ６を貼り付けるべき位置を示す概略斜視図である。
【図２５】断熱内壁枠の継目部分に気密テープ６を貼り付けるべき位置を示す概略斜視図である。
【図２６】入隅部の構成を示す概略斜視図である。
【図２７】従来の入隅部における気密構造を示す概略斜視図である。
【符号の説明】
１  床
２、２ａ、２ｂ、２ｃ、２ｄ  断熱内壁枠
３  添柱
６  気密テープ（第２の気密部材、第５の気密部材）
７ａ  気密シートコーナー（第１の気密部材）
７ｂ  気密シートコーナー（第４の気密部材）
７０、７４  底面
７１  切欠き
７２、７６  立上がり面
７５  角部
９  気密カバー（第３の気密部材）
【図１】
0003759361.tif 000002
【図２】
0003759361.tif 000003
【図３】
0003759361.tif 000004
【図４】
0003759361.tif 000005
【図５】
0003759361.tif 000006
【図６】
0003759361.tif 000007
【図７】
0003759361.tif 000008
【図８】
0003759361.tif 000009
【図９】
0003759361.tif 000010
【図１０】
0003759361.tif 000011
【図１１】
0003759361.tif 000012
【図１２】
0003759361.tif 000013
【図１３】
0003759361.tif 000014
【図１４】
0003759361.tif 000015
【図１５】
0003759361.tif 000016
【図１６】
0003759361.tif 000017
【図１７】
0003759361.tif 000018
【図１８】
0003759361.tif 000019
【図１９】
0003759361.tif 000020
【図２０】
0003759361.tif 000021
【図２１】
0003759361.tif 000022
【図２２】
0003759361.tif 000023
【図２３】
0003759361.tif 000024
【図２４】
0003759361.tif 000025
【図２５】
0003759361.tif 000026
【図２６】
0003759361.tif 000027
【図２７】
0003759361.tif 000028